(57)【要約】【課題】冷媒の不均化反応の発生を低減する。【解決手段】絞り装置２４ｘは、冷媒が流れる流路７８に形成される弁座７２と、弁体７３とを備えている。流路７８を流れる冷媒の流量は、弁体７３と弁座７２との間の間隔を調整することにより変化する。弁座７２は、弁座７２と弁体７３とが当接したときに、弁体７３が弁座７２から離れているときに冷媒が流路７８を流れる流量の最大値の５％以上の流量で冷媒が流路７８を流れるように、冷媒が流れる溝８５が形成されている。【選択図】図３
2018059526.tif 000002
【特許請求の範囲】
【請求項１】
冷媒が流れる流路に形成される弁座と、弁体とを備え、
前記弁体と前記弁座との間の間隔を調整することにより前記流路を流れる冷媒の流量が変化する絞り装置であって、
前記絞り装置は、単位時間あたりに前記流路を流れる冷媒の流量の最小値が、前記冷媒が前記流路を流れる流量の最大値の５％以上の流量である
絞り装置。
【請求項２】
前記弁体と前記弁座との間の間隔を調整することにより前記流路を流れる冷媒の流量が変化する第１の流路と、
前記弁体と前記弁座との間の間隔を調整することにより前記流路を流れる冷媒の流量が変化しない第２の流路とを備え、
前記第１の流路が塞がれたときに、前記第２の流路は前記絞り装置において不均化が発生することを抑制できる流量の冷媒が流れるように形成される
請求項１に記載の絞り装置。
【請求項３】
前記第２の流路は、前記弁座に設けられた溝である
請求項２に記載の絞り装置。
【請求項４】
請求項１〜請求項３のいずれか１項に記載の絞り装置を備えた
冷凍サイクル装置。
【発明の詳細な説明】
【技術分野】
【０００１】
本開示の技術は、絞り装置および冷凍サイクル装置に関する。
【背景技術】
【０００２】
冷凍サイクル装置は、圧縮機と凝縮器と膨張弁と蒸発器とが設けられ、密閉された系内に冷媒を循環させている。その冷媒としては、ＨＦＯ１１２３を含有する混合冷媒、Ｒ４１０Ａ、Ｒ３２が例示される。ＨＦＯ１１２３を含有する混合冷媒は、Ｒ４１０Ａ、Ｒ３２に比較して、温暖化係数（ＧＷＰ：Ｇｌｏｂａｌ  Ｗａｒｍｉｎｇ  Ｐｏｔｅｎｔｉａｌ）が低く、Ｒ４１０Ａ、Ｒ３２に代わる冷媒として注目されている（特許文献１参照）。
【先行技術文献】
【特許文献】
【０００３】
【特許文献１】国際公開第２０１２／１５７７６４号
【発明の概要】
【発明が解決しようとする課題】
【０００４】
しかしながら、ＨＦＯ１１２３は、所定の条件下で次化学反応式：
ＣＦ２＝ＣＨＦ→１／２ＣＦ４＋３／２Ｃ＋ＨＦ＋２０ｋＪ／ｍｏｌ
により表現される不均化反応を引き起こすことが知られている。不均化反応は、例えば、物質同士が高密度の状態で、温度や圧力の上昇、又は物質に対して何らかの強いエネルギーが加わると発生する。不均化反応を起こすと、物質は発熱する。冷凍サイクル装置は、ＨＦＯ１１２３を含有する混合冷媒を冷媒として利用している場合、ＨＦＯ１１２３が系内で不均化反応を起こすと、系内で急激な温度上昇と圧力上昇とが発生し、配管が破裂する等の不具合を発生させる可能性があるという問題がある。
【０００５】
開示の技術は、かかる点に鑑みてなされたものであって、冷媒の不均化反応の発生を低減する絞り装置および冷凍サイクル装置を提供することを目的とする。
【課題を解決するための手段】
【０００６】
開示の態様では、絞り装置は、冷媒が流れる流路に形成される弁座と、弁体とを備えている。前記流路を流れる冷媒の流量は、前記弁体を動作させて前記弁体と前記弁座との間隔を調整することにより変化する。絞り装置は、単位時間あたりに前記流路を流れる冷媒の流量の最小値が、前記冷媒が前記流路を流れる流量の最大値の５％以上の流量となるように形成されている。
【発明の効果】
【０００７】
開示の絞り装置および冷凍サイクル装置は、冷媒の不均化反応の発生を低減することができる。
【図面の簡単な説明】
【０００８】
【図１】図１は、実施形態の冷凍サイクル装置を示す冷媒回路図である。
【図２】図２は、実施形態の絞り装置を示す断面図である。
【図３】図３は、図２のＡ部の拡大図である。
【図４】図４は、弁座の弁座面を示す斜視図である。
【図５】図５は、弁座の弁座面を示す上面図である。
【図６】図６は、絞り装置の開度と流量との関係を示すグラフである。
【発明を実施するための形態】
【０００９】
以下に、本願が開示する実施形態にかかる絞り装置および冷凍サイクル装置について、図面を参照して説明する。なお、以下の記載により本開示の技術が限定されるものではない。また、以下の記載においては、同一の構成要素に同一の符号を付与し、重複する説明を省略する。
【００１０】
［冷凍サイクル装置］
図１は、実施形態の冷凍サイクル装置を示す冷媒回路図である。冷凍サイクル装置１は、複数の室内を冷暖房する空気調和装置に利用され、図１に示されているように、室外機２と複数の室内機５ａ〜５ｄとを備えている。室外機２は、外気が取り込まれる空間を内部に形成し、圧縮機２１と四方弁２２と室外熱交換器２３と複数の絞り装置２４ａ〜２４ｄと室外機制御部２００とを備えている。
【００１１】
圧縮機２１は、吐出管４１と吸入管４２とを備えている。圧縮機２１は、室外機制御部２００に制御されることにより、吸入管４２を介して四方弁２２から供給される冷媒を圧縮し、吐出管４１を介してその圧縮された冷媒を四方弁２２に供給する。その冷媒は、ＨＦＯ１１２３を含有する混合冷媒である。
【００１２】
四方弁２２は、冷媒配管を介して吐出管４１と吸入管４２と複数の室内機５ａ〜５ｄと室外熱交換器２３とに接続されている。四方弁２２は、室外機制御部２００に制御されることにより、暖房モードまたは冷房モードのどちらかに切り替えられる。四方弁２２は、冷房モードに切り替えられたときに、吐出管４１を介して圧縮機２１から供給された冷媒を室外熱交換器２３に供給し、複数の室内機５ａ〜５ｄから供給された冷媒を圧縮機２１に吸入管４２を介して供給する。四方弁２２は、暖房モードに切り替えられたときに、吐出管４１を介して圧縮機２１から供給された冷媒を複数の室内機５ａ〜５ｄに供給し、室外熱交換器２３から供給された冷媒を圧縮機２１に吸入管４２を介して供給する。
【００１３】
室外熱交換器２３は、冷媒配管を介して複数の絞り装置２４ａ〜２４ｄに接続されている。室外熱交換器２３は、冷房モードの際、四方弁２２から冷媒が供給されたときに、室外機２の内部に取り込まれた外気とその冷媒とを熱交換させ、その熱交換された冷媒を複数の絞り装置２４ａ〜２４ｄに供給する。室外熱交換器２３は、複数の絞り装置２４ａ〜２４ｄから冷媒が供給されたときに、室外機２の内部に取り込まれた外気とその冷媒とを熱交換させ、その熱交換された冷媒を四方弁２２に供給する。
【００１４】
複数の絞り装置２４ａ〜２４ｄは、複数の室内機５ａ〜５ｄに対応している。尚、室内機５ａ〜５ｄの構成は全て同じであるため、以下の説明で記載される室内機５ｘは任意の室内機５ａ〜５ｄのうちの一つに読み替えるものとし、後述する室内機５ａ〜５ｄが備える構成部品の符号の末尾の“ｘ”についても任意の“ａ〜ｄ”のうちの一つに読み替えるものとする。また、絞り装置２４ｘについても同様に任意の絞り装置２４ａ〜２４ｄに読み替えるものとする。任意の絞り装置２４ｘは、冷媒配管を介して対応する室内機５ｘに接続されている。絞り装置２４ｘは、冷房モードの際、室外熱交換器２３から冷媒が供給されるときに、その冷媒を断熱膨張させることにより減圧し、低温低圧となった二相冷媒を室内機５ｘに供給する。絞り装置２４ｘは、暖房モードの際、室内機５ｘから冷媒が供給されるときに、その冷媒を断熱膨張させることにより減圧し、低温低圧となった二相冷媒を室外熱交換器２３に供給する。絞り装置２４ｘは、さらに、室外機制御部２００に制御されることにより、開度が調節され、暖房モードの際、室内機５ｘから室外熱交換器２３に供給される冷媒の流量を調節する。
【００１５】
複数の室内機５ａ〜５ｄのうちの任意の室内機５ｘは、室内空気が取り込まれる空間を内部に形成し、室内熱交換器５１ｘと室内熱交温度センサ６１ｘと室内温度センサ６２ｘと室内機制御部５００ｘとを備えている。室内熱交換器５１ｘは、冷媒配管を介して室外機２の絞り装置２４ｘと四方弁２２とに接続されている。室内熱交換器５１ｘは、四方弁２２が冷房モードに切り替えられたときに蒸発器として機能し、四方弁２２が暖房モードに切り替えられたときに凝縮器として機能する。すなわち、室内熱交換器５１ｘは、冷房モードの際、絞り装置２４ｘから低温低圧となった二相冷媒が供給されたときに、室内機５ｘの内部に取り込まれた室内空気とその冷媒とを熱交換させ、その熱交換された室内空気を室内へ供給し、その熱交換された冷媒を四方弁２２に供給する。室内熱交換器５１ｘは、暖房モードの際、四方弁２２から冷媒が供給されたときに、室内機５ｘの内部に取り込まれた室内空気とその冷媒とを熱交換させ、その熱交換された室内空気を室内へ供給し、その熱交換された冷媒を絞り装置２４ｘに供給する。
【００１６】
室内熱交温度センサ６１ｘは、室内熱交温度を測定する。室内熱交温度は、室内熱交換器５１ｘの温度を示している。室内温度センサ６２ｘは、室内温度を測定する。室内温度は、室内機５ｘの内部に取り込まれる室内空気の温度を示している。
【００１７】
室内機制御部５００ｘは、双方向に情報伝達可能に室外機制御部２００に接続されている。室内機制御部５００ｘは、図示されていない入力装置を備えている。入力装置としては、リモコンが例示される。入力装置は、使用者により操作され、設定温度や設定風量に例示される運転条件を室内機制御部５００ｘに入力することに利用される。室内機制御部５００ｘは、入力装置を介して入力された運転条件と、室内熱交温度センサ６１ｘにより測定された室内熱交温度と、室内温度センサ６２ｘにより測定された室内温度とを室外機制御部２００に送信する。
【００１８】
［室外機制御部］
室外機制御部２００は、複数の室内機制御部５００ａ〜５００ｄからそれぞれ伝送された複数の情報に基づいて、圧縮機２１と四方弁２２と複数の絞り装置２４ａ〜２４ｄとを制御する。室外機制御部２００は、四方弁２２が暖房モードまたは冷房モードのどちらかに切り替えられるように、四方弁２２を制御する。室外機制御部２００は、さらに、吸入管４２を介して圧縮機２１に供給される冷媒が圧縮され、吐出管４１を介してその圧縮された冷媒が吐出されるように、圧縮機２１を制御する。室外機制御部２００は、さらに、絞り装置２４ｘの開度が調節されるように、絞り装置２４ｘを制御する。
【００１９】
［絞り装置］
図２は、実施形態の絞り装置を示す断面図である。絞り装置２４ｘは、図２に示されているように、弁箱７１と弁体７３と弁棒７４とアクチュエータ７５とを備えている。弁箱７１の内部には、冷媒配管７６と冷媒配管７７とを接続する流路７８が形成されており、弁座７２を備えている。冷媒配管７６は、絞り装置２４ｘと室外熱交換器２３とを接続している。冷媒配管７７は、絞り装置２４ｘと室内熱交換器５１ｘとを接続している。弁座７２は、流路７８における冷媒配管７７側に配置されており、流路７８と冷媒配管７７を連通する開口部８２が形成されている。弁体７３は、弁体７３と冷媒配管７７との間に弁座７２が配置されている。弁体７３は、流路７８のうちの弁座７２より冷媒配管７６の側に配置されている。弁棒７４は、棒状に形成されている。弁棒７４は、弁棒７４と弁座７２との間に弁体７３が配置されている。弁棒７４は、弁座７２の冷媒配管７６の側に配置され、弁軸方向７９に平行である直線に沿って配置されている。弁棒７４は、弁軸方向７９に平行に移動可能に弁箱７１に支持されている。弁体７３は、弁棒７４が弁軸方向７９に平行に移動することにより、弁座７２との間隔が調整される。アクチュエータ７５は、室外機制御部２００に制御されることにより、弁棒７４を弁軸方向７９に移動する。
【００２０】
図３は、図２のＡ部の拡大図である。弁体７３は、図３に示されているように、弁体面８１が形成されている。弁体面８１は、円錐の側面の形状に形成されている。弁座７２には、開口部８２（第１の流路）が形成されている。開口部８２は、流路７８と冷媒配管を連通するように開口しており、すなわち、流路７８を流れる冷媒の全部が開口部８２を通過するように形成されている。開口部８２は、冷媒配管７６の側の径が流路７８の側の径より大きくなるように形成されている。弁座７２は、さらに、弁座面８３が形成されている。弁座面８３は、弁体７３が弁座７２に接したときに、弁体７３の弁体面８１に密着するように、形成されている。このとき、弁軸方向７９に平行である直線が弁体面８１と交差する点から、その直線が弁座面８３と交差する点までの距離８４は、絞り装置２４ｘの開度に対応している。すなわち、絞り装置２４ｘの開度は、距離８４が０であるときに、すなわち、弁体面８１が弁座面８３に密着したときに、全閉となる。絞り装置２４ｘの開度は、距離８４が０の状態（全閉）から、距離８４が大きくなるにつれて全開に近付く。すなわち、開口部８２は、弁体７３と弁座７２の間の間隔を調整して弁体７３を弁座７２に近づけたり離したりすることにより流路７８を流れる冷媒の流量が変化する流路である。
【００２１】
図４は、弁座７２の弁座面８３を示す斜視図である。図５は、弁座７２の弁座面８３を示す上面図である。弁座７２は、さらに、図４および図５に示されているように、弁座面８３に溝８５（第２の流路）が形成されている。溝８５は、弁座面８３のうちの冷媒配管７６の側の端と、弁座面８３のうちの冷媒配管７７の側の端とを繋げるように、形成されている。絞り装置２４ｘは、弁座面８３に溝８５が形成されていることにより、弁体面８１が弁座面８３に密着して全閉となった場合でも、冷媒が溝８５を流れ、冷媒が流路７８を常時に流れるように、冷媒配管７６と冷媒配管７７とを接続している。すなわち、溝８５は、弁体７３が弁座７２に接近したり離れたりしても冷媒の流量が変化しない流路である。
【００２２】
図６は、絞り装置の開度と流量との関係を示すグラフである。グラフ中の線９１は、絞り装置２４ｘの開度と、絞り装置２４ｘを流れる冷媒の流量との関係を示している。線９１は、図６に示されているように、絞り装置２４ｘの開度が全閉から全開に近付くにつれ、絞り装置２４ｘを流れる冷媒の流量が単調に増加することを示している。線９１は、さらに、単位時間あたりに絞り装置２４ｘを流れる冷媒の流量の最大値を１００％としたときに絞り装置２４ｘを流れる冷媒の流量の最小値が５％であることを示している。すなわち、絞り装置２４ｘは、溝８５を設けたことで開度を全閉にした場合でも、絞り装置２４ｘを流れる冷媒の流量の最大値の５％の流量の冷媒が流れるように、形成されている。
【００２３】
［冷凍サイクル装置の動作］
冷凍サイクル装置１のユーザは、室内機５ｘが配置されている室内を温度調節したいときに、図示しないリモコンを操作することにより、冷凍サイクル装置１を起動し、室内機制御部５００ｘに運転条件を入力する。室内機制御部５００ｘは、運転条件が入力されると、その入力された運転条件と、室内熱交温度センサ６１ｘにより測定された室内熱交温度と、室内温度センサ６２ｘにより測定された室内温度とを室外機制御部２００に送信する。
【００２４】
室外機制御部２００は、室内機制御部５００ｘから受信した運転条件と室内熱交温度と室内温度とに基づいて、暖房運転または冷房運転のどちらかを実行する。たとえば、室外機制御部２００は、運転条件が示す設定温度が室内温度より高いときに暖房運転を実行し、運転条件が示す設定温度が室内温度より低いときに冷房運転を実行する。
【００２５】
［冷房運転］
室外機制御部２００は、冷房運転を実行するときに、四方弁２２を制御することにより、四方弁２２を冷房モードに切り替える。室外機制御部２００は、圧縮機２１を制御することにより、吸入管４２を介して四方弁２２から圧縮機２１に供給された冷媒を圧縮する。圧縮機２１は、冷媒を圧縮することにより生成された高温高圧の冷媒を四方弁２２に供給する。四方弁２２は、冷房モードに切り替えられていることにより、圧縮機２１から供給された高温高圧の冷媒を室外熱交換器２３に供給する。室外熱交換器２３は、室外機２の内部に取り込まれた外気とその高温高圧の冷媒とを熱交換させることにより、外気を加熱し、その高温高圧の冷媒を冷却する。室外熱交換器２３は、その高温高圧の冷媒を冷却することにより生成された低温高圧の冷媒を複数の絞り装置２４ａ〜２４ｄに供給する。
【００２６】
複数の絞り装置２４ａ〜２４ｄの各絞り装置２４ｘは、室外熱交換器２３から供給された低温高圧の冷媒を断熱膨張させる。絞り装置２４ｘは、低温高圧の冷媒を断熱膨張させることにより生成された低温低圧の冷媒を室内機５ｘの室内熱交換器５１ｘに供給する。室内熱交換器５１ｘは、絞り装置２４ｘから供給された低温低圧の冷媒と、室内機５ｘの内部に取り込まれた室内空気とを熱交換させることにより、室内空気を冷却し、その低温低圧の冷媒を加熱する。室内熱交換器５１ｘは、低温低圧の冷媒を加熱することにより生成された高温低圧の冷媒を、四方弁２２に供給する。四方弁２２は、冷房モードに切り替えられていることにより、複数の室内熱交換器５１ａ〜５１ｄから供給された高温低圧の冷媒を圧縮機２１に供給する。
【００２７】
［暖房運転］
室外機制御部２００は、暖房運転を実行するときに、四方弁２２を制御することにより、四方弁２２を暖房モードに切り替える。室外機制御部２００は、圧縮機２１を制御することにより、吸入管４２を介して四方弁２２から圧縮機２１に供給された冷媒を圧縮する。圧縮機２１は、冷媒を圧縮することにより生成された高温高圧の冷媒を四方弁２２に供給する。四方弁２２は、暖房モードに切り替えられていることにより、圧縮機２１から供給された高温高圧の冷媒を複数の室内機５ａ〜５ｄに供給する。複数の室内機５ａ〜５ｄの各室内機５ｘの室内熱交換器５１ｘは、四方弁２２から室内機５ｘに供給された高温高圧の冷媒と、室内機５ｘの内部に取り込まれた室内空気とを熱交換させることにより、室内空気を加熱し、その高温高圧の冷媒を冷却する。室内熱交換器５１ｘは、高温高圧の冷媒を冷却することにより生成された低温高圧の冷媒を絞り装置２４ｘに供給する。
【００２８】
絞り装置２４ｘは、室内熱交換器５１ｘから供給された低温高圧の冷媒を断熱膨張させる。絞り装置２４ｘは、低温高圧の冷媒を断熱膨張させることにより生成された低温低圧の冷媒を室外熱交換器２３に供給する。室外熱交換器２３は、室外機２の内部に取り込まれた外気と、複数の絞り装置２４ａ〜２４ｄから供給された低温低圧の冷媒とを熱交換させることにより、外気を冷却し、その低温低圧の冷媒を加熱する。室外熱交換器２３は、その低温低圧の冷媒を加熱することにより生成された高温低圧の冷媒を四方弁２２に供給する。四方弁２２は、暖房モードに切り替えられていることにより、室外熱交換器２３から供給された高温低圧の冷媒を圧縮機２１に供給する。
【００２９】
室外機制御部２００は、暖房運転または冷房運転を実行しているときに、さらに、室内機制御部５００ｘから受信した運転条件と室内熱交温度と室内温度とに基づいて、絞り装置２４ｘの開度を調節する。たとえば、室外機制御部２００は、室外機２と室内機５ｘが起動されていないときに、絞り装置２４ｘを制御することにより、絞り装置２４ｘを全閉する。室外機２と室内機５ｘが運転されているときに、室外機制御部２００は、室内機制御部５００ｘから受信した運転条件と室内熱交温度と室内温度とに基づいて、室内熱交換器５１ｘに流れる冷媒の量が少ないと判定されたときに、絞り装置２４ｘを制御することにより、絞り装置２４ｘの開度を増加させる。室外機制御部２００は、室内機制御部５００ｘから受信した運転条件と室内熱交温度と室内温度とに基づいて、室内熱交換器５１ｘに流れる冷媒の量が多いと判定されたときに、絞り装置２４ｘを制御することにより、絞り装置２４ｘの開度を減少させる。
【００３０】
絞り装置２４ｘを流れる冷媒は、絞り装置２４ｘの開度を全閉にすると、絞り装置２４ｘの構成要素（弁座７２、弁体７３等、以下「弁部」と記載する）に衝突する。冷媒は、ＨＦＯ１１２３が含有されている場合に、絞り装置２４ｘの弁部に衝突することにより、ＨＦＯ１１２３が不均化反応を起こすことがある。衝突によるＨＦＯ１１２３の不均化反応は、冷媒が絞り装置２４ｘの弁部に衝突する衝突エネルギーを低減することにより起きにくくなり、衝突エネルギーを所定の値（５％）以上低減させることにより、発生しなくなる。衝突によるＨＦＯ１１２３の不均化反応の発生は、従来の絞り装置と比較して、衝突エネルギーを５％以上低減させることにより、より確実に低減することができる。このことは、公知であり、たとえば、国際公開第２０１５／１４０８７７号に記載されている。また、衝突エネルギーは、次式：
衝突エネルギー＝１／２×質量流量×単位時間×冷媒速度２
により表現される。このため、絞り装置２４ｘは、単位時間あたりに絞り装置２４ｘを流れる冷媒の流量の最小値が最大流量に対して５％以上とすることにより、衝突エネルギーを５％以上低減させることができる。
【００３１】
［絞り装置の効果］
実施形態の絞り装置２４ｘは、冷媒が流れる流路７８に形成される弁座７２と、弁座７２との間隔を調整することにより流量を調整する弁体７３とを備えている。流路７８を流れる冷媒の流量は、弁体７３が弁座７２に接近したり離れたりすることにより変化する。絞り装置２４ｘは、単位時間あたりに流路７８を流れる冷媒の流量の最小値が、冷媒が流路７８を流れる流量の最大値（絞り装置２４ｘが全開のとき）の５％以上の流量で、冷媒が常時に流れるようになっている。
【００３２】
このような絞り装置２４ｘは、流量の最大値の５％以上の流量の冷媒が常時に流れることにより、冷媒が絞り装置２４ｘの弁部に衝突する衝突エネルギーを５％以上低減することができ、衝突エネルギーを所定の値以下に低減することができる。このような絞り装置２４ｘは、冷媒が絞り装置２４ｘの弁部に衝突する衝突エネルギーを低減することにより、衝突により不均化反応を起こす物質（ＨＦＯ１１２３）が冷媒に含有されている場合でも、その不均化反応の発生を低減することができる。
【００３３】
また、実施形態の冷凍サイクル装置１は、圧縮機２１と室外熱交換器２３と複数の絞り装置２４ａ〜２４ｄと複数の室内熱交換器５１ａ〜５１ｄとを備えている。圧縮機２１は、高温低圧の冷媒を圧縮することにより高温高圧の冷媒を生成する。室外熱交換器２３は、高温高圧の冷媒を冷却することにより低温高圧の冷媒を生成する。複数の絞り装置２４ａ〜２４ｄは、それぞれ、低温高圧の冷媒を断熱膨張させることにより複数の低温低圧の冷媒をそれぞれ生成する。複数の室内熱交換器５１ａ〜５１ｄは、複数の低温低圧の冷媒をそれぞれ加熱することにより高温低圧の冷媒を生成する。このような冷凍サイクル装置１は、複数の絞り装置２４ａ〜２４ｄの各絞り装置２４ｘが冷媒の不均化反応の発生を低減することにより、不均化反応の発生を低減することができる。また、冷凍サイクル装置１は、室外熱交換器２３が低温低圧の冷媒を加熱して高温低圧の冷媒を生成し、複数の室内熱交換器５１ａ〜５１ｄが高温高圧の冷媒を冷却して低温高圧の冷媒を生成する場合も、不均化反応の発生を低減することができる。
【００３４】
ところで、実施形態の冷凍サイクル装置１は、複数の絞り装置２４ａ〜２４ｄと複数の室内熱交換器５１ａ〜５１ｄとを備えているが、１つの絞り装置２４ｘと１つの室内熱交換器５１ｘとを備えてもよい。すなわち、１つの絞り装置２４ｘと１つの室内熱交換器５１ｘとを備える冷凍サイクル装置は、複数の絞り装置２４ａ〜２４ｄが１つの絞り装置２４ｘに置換され、複数の室内熱交換器５１ａ〜５１ｄが１つの室内熱交換器５１ｘに置換されている。このような冷凍サイクル装置も、既述の冷凍サイクル装置１と同様にして、絞り装置２４ｘが冷媒の不均化反応の発生を低減することにより、不均化反応の発生を低減することができる。
【００３５】
また、弁座７２は、弁座７２と弁体７３とが密着して、開口部８２が塞がれたときに最大値（絞り装置２４ｘが全開のとき）の５％以上の流量で冷媒が流路７８を流れるように、冷媒が流れる溝８５が形成されている。このような絞り装置２４ｘは、弁座７２に溝８５が形成されていることにより、弁体７３が弁座７２に最も接近して密着した場合でも、最大流量の５％以上の流量で冷媒を流路７８に流すことができる。このような絞り装置２４ｘは、最大流量の５％以上の流量で冷媒を流路７８に常時に流すことにより、冷媒が弁部に衝突する衝突エネルギーを所定の値以下に低減することができる。絞り装置２４ｘは、冷媒が弁部に衝突する衝突エネルギーを所定の値（５％）以上低減することにより、衝突により不均化反応を起こす物質が冷媒に含入されている場合でも、その不均化反応の発生を低減することができる。
【００３６】
ところで、既述の弁座７２は、弁座面８３に溝８５が形成されているが、溝が形成されていない他の弁座に置換されてもよい。このとき、弁体７３は、弁体面８１に溝が形成されている。その溝は、絞り装置２４ｘの開度を全閉にしたときに、絞り装置２４ｘを流れる冷媒の流量の最大値（絞り装置２４ｘが全開のとき）の５％の流量の冷媒が流れるように、形成されている。このような絞り装置も、既述の絞り装置２４ｘと同様にして、最大流量の５％以上の流量で冷媒を流路７８に常時に流すことにより、冷媒が弁部に衝突する衝突エネルギーを所定の値（５％）以上低減することができる。このため、このような絞り装置は、衝突により不均化反応を起こす物質が冷媒に含入されている場合でも、その不均化反応の発生を低減することができる。
【００３７】
ところで、絞り装置２４ｘは、弁体面８１が弁座面８３に密着したときに、流量の最大値の５％以上の流量の冷媒が流れるように形成されているが、弁体面８１が弁座面８３に密着しないように形成されてもよい。たとえば、弁棒７４は、絞り装置２４ｘの開度を全閉にした場合でも、弁体面８１が弁座面８３に密着しないで、流量の最大値の５％以上の流量の冷媒が流れるように、可動域が制限されている。このような絞り装置も、既述の絞り装置２４ｘと同様にして、最大流量の５％以上の流量で冷媒を流路７８に常時に流すことにより、冷媒が弁部に衝突する衝突エネルギーを所定の値以下に低減することができる。このため、このような絞り装置は、衝突により不均化反応を起こす物質が冷媒に含入されている場合でも、その不均化反応の発生を低減することができる。
【００３８】
ところで、既述の絞り装置２４ｘは、開度に対して線形に流量が変化するように形成されているが、開度に対する流量の変化が上に凸や下に凸である他の絞り装置に置換されてもよい。また、既述の絞り装置２４ｘは、開度に対して流量が単調に増加するように形成されているが、全閉のときに流量が最小にならなかったり、全開のときに流量が最大にならなかったりする他の絞り装置に置換されてもよい。この場合も、絞り装置は、流量の最小値が流量の最大値の５％以上になるように形成されることにより、絞り装置２４ｘと同様にして、冷凍サイクル装置１で冷媒が不均化反応を起こすことを低減することができる。
【符号の説明】
【００３９】
１  ：冷凍サイクル装置
２  ：室外機
５ａ〜５ｄ：複数の室内機
２１：圧縮機
２３：室外熱交換器
２４ａ〜２４ｄ：複数の絞り装置
５１ａ〜５１ｄ：複数の室内熱交換器
７２：弁座
７３：弁体
７４：弁棒
７８：流路
８１：弁体面
８３：弁座面
８５：溝
【図１】
2018059526.tif 000003
【図２】
2018059526.tif 000004
【図３】
2018059526.tif 000005
【図４】
2018059526.tif 000006
【図５】
2018059526.tif 000007
【図６】
2018059526.tif 000008